(57)【要約】【課題】海水等による端子の腐食の防止、クリーニングの不要化、好適に給電可能に接続し得る給電システム及び電池パックを提供する。【解決手段】ケース部材１３と、ケース部材１３に形成させた凸部１２と、凸部１２内に内包された第一コイル１９とを有する第一ユニット体１１を備えると共に、凸部１２が挿入される開口部２５を有し、開口部２５に凸部１２が挿入された際に第一コイル１９の外側を囲うよう開口部２５を囲んで巻線された第二コイル２７を内包する第二ユニット体を備え、第一コイル１９及び第二コイル２７の電磁誘導により、第一ユニット体１１と第二ユニット体のいずれか一方から他方に対し給電を行う。【選択図】図２
2006280173.tif 000002
【特許請求の範囲】
【請求項１】
ケース部材と、当該ケース部材に形成させた凸部と、当該凸部内に内包された第一コイルとを有する第一ユニット体を備えると共に、前記凸部が挿入される開口部を有し、前記開口部に前記凸部が挿入された際に前記第一コイルの外側を囲うよう前記開口部を囲んで巻線された第二コイルを内包する第二ユニット体を備え、
前記第一コイル及び第二コイルの電磁誘導により、前記第一ユニット体と第二ユニット体のいずれか一方から他方に対し給電を行うことを特徴とする給電システム。
【請求項２】
前記第一コイルは、前記凸部の挿入方向を軸として巻線され、前記第二コイルの巻線の軸は、前記凸部が前記開口部に挿入された状態にて前記第一コイルの巻線の軸と同軸になることを特徴とする請求項１に記載の給電システム。
【請求項３】
前記第一コイル及び／又は第二コイルは、コアを備えることを特徴とする請求項１に記載の給電システム。
【請求項４】
前記第一ユニット体は、電池セルと、当該電池セルの端子に接触する第一接点部材と、当該第一接点部材を前記第一コイルに電気的に接続する第二接点部材とを含み、
前記ケース部材は、前記第一接点部材と、前記第二接点部材と、前記第一コイルとを表面に露出しないよう覆って形成されることを特徴とする請求項１に記載の給電システム。
【請求項５】
誘導起電力により動作する携帯電子機器に装着され、前記携帯電子機器に給電を行う電池パックであって、
電池セルと、
前記電池セルに接続される回路部と、
前記回路部に接続されて前記誘導起電力発生のための磁力を発生させるコイルと、
前記電池セルと前記回路部と前記コイルとを外部に露出させず一体に成型したケース部材とを備えることを特徴する電池パック。
【請求項６】
前記ケース部材は、前記電池セルと前記回路部と前記コイルとを接続した状態にて、樹脂により、前記回路部を破壊しないよう低温低圧にて少なくとも前記電池セルと前記回路部と前記コイルの表面を被覆した後に凝固されて成型されることを特徴とする請求項５に記載の電池パック。
【発明の詳細な説明】
【技術分野】
【０００１】
本発明は、携帯電話機、ＰＨＳ等の移動通信機、ＰＤＡ（Personal Digital Assistant）、携帯ラジオ、ＭＤプレーヤ、ＣＤプレーヤ、カセットテープレコーダといった携帯性を有する電子機器に給電する給電システム及び電池パックに関するものである。
【背景技術】
【０００２】
一般に、携帯電話機等の電子機器に電池パックを配して給電する場合には、電池パックを電子機器の所定の収納スペース等に配置して給電するようにしている。
【０００３】
電池パックで電子機器に給電する一例を詳細に示すと、図１２に示す如く、携帯電話機１は、電池パック２用の収納スペース３の側面に、内部の回路に接続された凸状の端子４を備え、電池パック２は、携帯電話機１の端子４に接触し得るよう、電池パック２本体の対抗面に、所定の端子面５を形成している。
【０００４】
ここで、携帯電話機１は、振動や衝撃で端子４及び端子面５の接点が断にならないよう、図１３に示す如く、端子４にばね６を備えて振動等を吸収する構成にしたり、電子機器の収納スペース３の反端子側に余勢用のばね（図示せず）を備えて端子４及び端子面５の接触部分の圧力を高める構成にしている。又、大電流を流す場合に、端子４及び端子面５の接点の抵抗を小さくするよう、接触面積を大きくする構成している。
【０００５】
更に、電子機器の端子４には、湿度や温度の高い環境で腐食を防止するようリン青銅の下地にニッケル（Ｎｉ）と金（Ａｕ）のメッキを施し、電池パック２の端子面５には、同様に腐食を防止するよう、銅の下地にニッケル（Ｎｉ）と金（Ａｕ）のメッキを施し、夫々を表面処理している。
【０００６】
更に又、電子機器の中には、金属部材の端子が過熱することを防止するように構成したものがある（例えば、特許文献１）。
【特許文献１】特開平８−２０５４１３号公報
【発明の開示】
【発明が解決しようとする課題】
【０００７】
しかしながら、このような接続手段では、例えば海上や海辺で使用するマリンユースの場合、海水の影響を受けて端子４や端子面５に腐食を生じ易いため、電池パック２の交換等の際に端子４や端子面５のクリーニングが必要になるという問題があった。又、塵の密度が高い環境下では、塵により端子４や端子面５に汚れを生じ易いため、定期的にクリーニングが必要になるという問題があった。更に、電池パック２を接続した際は、ばね等の手段を用いることなく、好適に給電可能に接続することが求められていた。
【０００８】
一方、電子機器に給電する際には、金属の端子を相手側に近接させて電磁誘導により給電する例が存在するが、漏れ磁束が大きく、効率良く給電できないという問題があった。又、トロイダルコイルを使用して漏れ磁束を低減することも考えられるが、コアを分割する構成が必要であるため、電子機器に使用した場合、スペース効率が悪いという問題があった。
【０００９】
本発明は上述の実情に鑑み、海水等による端子の腐食の防止、クリーニングの不要化、好適に給電可能に接続し得る給電システム及び電池パックを提供することを目的としてなしたものである。
【課題を解決するための手段】
【００１０】
本発明は、ケース部材と、当該ケース部材に形成させた凸部と、当該凸部内に内包された第一コイルとを有する第一ユニット体を備えると共に、前記凸部が挿入される開口部を有し、前記開口部に前記凸部が挿入された際に前記第一コイルの外側を囲うよう前記開口部を囲んで巻線された第二コイルを内包する第二ユニット体を備え、
前記第一コイル及び第二コイルの電磁誘導により、前記第一ユニット体と第二ユニット体のいずれか一方から他方に対し給電を行うことを特徴とする給電システム、にかかるものである。
【００１１】
本発明は、前記第一コイルは、前記凸部の挿入方向を軸として巻線され、前記第二コイルの巻線の軸は、前記凸部が前記開口部に挿入された状態にて前記第一コイルの巻線の軸と同軸になることが好ましい。
【００１２】
本発明は、前記第一コイル及び／又は第二コイルは、コアを備えることが好ましい。
【００１３】
本発明は、前記第一ユニット体は、電池セルと、当該電池セルの端子に接触する第一接点部材と、当該第一接点部材を前記第一コイルに電気的に接続する第二接点部材とを含み、
前記ケース部材は、前記第一接点部材と、前記第二接点部材と、前記第一コイルとを表面に露出しないよう覆って形成されることが好ましい。
【００１４】
本発明は、誘導起電力により動作する携帯電子機器に装着され、前記携帯電子機器に給電を行う電池パックであって、
電池セルと、
前記電池セルに接続される回路部と、
前記回路部に接続されて前記誘導起電力発生のための磁力を発生させるコイルと、
前記電池セルと前記回路部と前記コイルとを外部に露出させず一体に成型したケース部材とを備えることを特徴する電池パック、にかかるものである。
【００１５】
本発明において、前記ケース部材は、前記電池セルと前記回路部と前記コイルとを接続した状態にて、樹脂により、前記回路部を破壊しないよう低温低圧にて少なくとも前記電池セルと前記回路部と前記コイルの表面を被覆した後に凝固されて成型されることが好ましい。
【発明の効果】
【００１６】
本発明の給電システム及び電池パックによれば、海水等による端子の第一コイルと第二コイルの腐食を防止すると共に、塵等によるクリーニングを不要にし、更に、ばね等の手段を用いることなく、第一ユニット体と第二ユニット体を好適に給電可能に接続することができるという優れた効果を奏し得る。
【発明を実施するための最良の形態】
【００１７】
以下、本発明の実施の形態を図面を参照して説明する。
【００１８】
図１〜図６は本発明を実施する形態の第一例である。
【００１９】
本発明の形態例の給電システム及び電池パックは、携帯電話機、ＰＨＳ等の移動通信機、ＰＤＡ、携帯ラジオ、ＭＤプレーヤ、ＣＤプレーヤ、カセットテープレコーダといった携帯性を有する電子機器に用いるものであり、ここでは、携帯電話機を例に第一例を説明する。
【００２０】
電子機器の携帯電話機に使用する電池パック（第一ユニット体）１１は、先端に凸部１２を形成した低温低圧成型樹脂等のケース部材１３と、ケース部材１３の内部で反凸部側に配置される電池セル１４と、ケース部材１３の内部で電池セル１４の端子側（図１、図２では上方）に設置されるプリント配線板（回路部）１５と、ケース部材１３の内部でプリント配線板１５の反電池セル側（図１、図２では上方）に配置されるフェライト等のコア１６とを備えている。
【００２１】
コア１６は、プリント配線板１５側に位置する円柱状の台座部１７と、台座部１７から突出してケース部材１３の凸部１２内に位置する軸部１８とから構成されており、軸部１８には、凸部１２に内包されるよう、軸部１８の延在方向を軸として巻線された第一コイル１９を配置している。
【００２２】
プリント配線板（回路部）１５は、電池セル１４の端子に接触する金属製の第一接点部材２０を備えると共に、第一コイル１９は、第一接点部材２０と電気的に接続されるよう、コア１６の台座部１７を貫通する配線の第二接点部材２１を配してプリント配線板１５に接続されており、ケース部材１３は、第一接点部材２０、プリント配線板１５、第二接点部材２１、コア１６、第一コイル１９を表面に露出させないよう覆って形成されている。ここで、低温低圧成型樹脂等のケース部材１３は、樹脂にてプリント配線板（回路部）１５の回路を破壊しないよう低温低圧にて電池セル１４とプリント配線板（回路部）１５と第一コイル１９の表面を被覆し、樹脂が凝固されて形成されている。
【００２３】
なお、電池パック（第一ユニット体）１１の形状は、図１、図２の円柱のものに限定されるものでなく、図３に示す如く薄型の四角柱でも良い。
【００２４】
一方、電子機器の携帯電話機（第二ユニット体）２２は、図４、図５に示す如く、筐体２３に、電池パック（第一ユニット体）１１を収納し得る形状の収納スペース２４を構成しており、収納スペース２４の奥側には、電池パック１１の凸部１２が挿入される凹状の開口部２５を有すると共に、収納スペース２４の外側には、収納スペース２４を開閉する蓋部２６を備えている。
【００２５】
又、携帯電話機（第二ユニット体）２２の筐体は、図１、図２に示す如く、開口部２５の周囲を囲むよう開口部２５の深さ方向を軸として巻線された第二コイル２７と、第二コイル２７の外周及び開口部２５の奥面を囲むフェライト等のコア２８を内包しており、第二コイル２７は、コア２８を貫通する配線２５ａを介して携帯電話機（第二ユニット体）２２の回路（図示せず）に接続されており、第二コイル２７が囲む筒状の周囲面は、絶縁材で形成されている。
【００２６】
ここで、電池パック（第一ユニット体）１１と、外部電源に接続可能な携帯電話機（第二ユニット体）２２の回路を示すと、図６に示す如く、電池パック（第一ユニット体）１１の回路は、電池セル１４により第一コイル１９を発振させる発振回路２９及びＰＮＰトランジスタＴｒ１並びにコンパレータ３０と、充電時に直流電圧を整流するダイオードＤ１及びコンデンサＣ１と、充電時に定電圧化するレギュレータ回路３１とを備えており、携帯電話機（第二ユニット体）２２の回路は、外部電源を接続し得る端子Ｔ１，Ｔ２と、充電時に第二コイル２７を発振させるための発振回路３２及びＮＰＮトランジスタＴｒ２並びにダイオードＤ２と、電池セル１４からの給電時に直流電圧を整流するためのダイオードＤ３及びコンデンサＣ２と、充電時に定電圧化するレギュレータ回路３３とを備えている。
【００２７】
以下、本発明を実施する形態の第一例の作用を説明する。
【００２８】
携帯電話機２２に電池パック１１を配して給電もしくは充電する場合には、始めに電池パック１１を携帯電話機２２の収納スペース２４に差し込んで、電池パック（第一ユニット体）１１のケース部材１３の凸部１２を、携帯電話機（第二ユニット体）２２の開口部２５に挿入し、携帯電話機２２の蓋部２６を閉じて電池パック１１を収納する。
【００２９】
この時、電池パック１１の第一コイル１９は、凸部１２の挿入方向を軸として巻線される配置になると共に、携帯電話機２２の第二コイル２７の巻線の軸は、凸部１２が開口部２５に挿入され係合した状態にて第一コイル１９の巻線の軸と同軸になり、電池パック１１及び携帯電話機２２の回路は、第一コイル１９及び第二コイル２７で電磁誘導を生じ、外部電源による電池セル１４の充電、もしくは電池セル１４による携帯電話機２２のシステムへの給電を行う。
【００３０】
ここで、回路により電池セル１４を充電する状態を詳細に説明すると、外部電源（図示せず）を端子Ｔ１，Ｔ２に接続した場合には、携帯電話機２２側では、外部電源により印可された直流電圧を発振回路３２が受けて発振を開始し、ＮＰＮトランジスタＴｒ２がスイッチング動作を開始して第二コイル２７が発振する。電池パック１１側では、第二コイル２７の発振により第一コイル１９が励磁されて発振を開始し、直流電圧をダイオードＤ１及びコンデンサＣ１により整流してレギュレータ回路３１により定電圧化し、電池セル１４を充電する。
【００３１】
一方、回路により電池セル１４から携帯電話機２２のシステムへ給電する状態を詳細に説明すると、外部電源（図示せず）を端子Ｔ１，Ｔ２から外した場合には、第二コイル２７の発振が止まって第一コイル１９の発振も止まり、電池セル１４の電圧がダイオードＤ１のカソード電圧より高くなってコンパレータ３０の出力が反転する。これにより、発振回路２９が発振を開始してＰＮＰトランジスタＴｒ１により第一コイル１９が発振し、携帯電話機２２側では、第一コイル１９の発振により第二コイル２７が励磁されて発振を開始し、直流電圧をダイオードＤ３及びコンデンサＣ２により整流してレギュレータ回路３３により定電圧化し、携帯電話機２２のシステムへ給電する。
【００３２】
このように、本発明を実施する形態の第一例の給電システム及び電池パックによれば、第一コイル１９及び第二コイル２７の電磁誘導により、電池パック（第一ユニット体）１１と携帯電話機（第二ユニット体）２２のいずれか一方から他方に対し給電を行うので、外部に端子を露出させることなく、給電もしくは充電することができる。又、海上や海辺で使用するマリンユースの場合であっても、端子を外部に露出させることなく、給電し得るので、端子の腐食を防止し、電池パック１１の交換等の際における端子のクリーニング等を不要にすることができる。更に、塵の密度が高い環境下の場合でも、電池パック１１の交換等の際に端子のクリーニングを不要にすることができる。更に又、外部に露出する端子がないので、ショートによる事故防ぐことができると共に、電池パック１１の収納ケースに水が浸入しても問題とならず、水中で電池パック１１を交換することもできる。なお、端子Ｔ１，Ｔ２は、充電しない時などの不使用状態の時には、外部に露出しないよう、蓋（図示せず）等を筐体２３に備えることが好ましい。
【００３３】
凸部１２を開口部２５に挿入することより電池パック（第一ユニット体）１１と携帯電話機（第二ユニット体）２２を接続するので、ばね等の手段を用いることなく、給電もしくは充電に好適に接続することができる。又、接触端子をなくして電磁誘導により給電するので、機械的衝撃による接触不良の心配を抑制することができる。更に、外部に露出する端子がないので、電池パック１１の嵌合部分の設計を容易にすることができる。
【００３４】
第一コイル１９の外側を第二コイル２７で囲うので、漏れ磁束を低減し、効率良く給電することができると共に、スペース効率を向上させることができる。又、第一コイル１９及び第二コイル２７により、電磁誘導する部分を電池セル１４の上に配置するので、電池セル１４への磁束の影響を抑えることができる。
【００３５】
第一コイル１９は、凸部１２の挿入方向を軸として巻線され、第二コイル２７の巻線の軸は、凸部１２が開口部２５に挿入された状態にて第一コイル１９の巻線の軸と同軸になると、漏れ磁束を一層低減し、更に効率良く給電することができると共に、スペース効率を向上させることができる。
【００３６】
第一コイル１９及び／又は第二コイル２７は、コア１６を備えると、漏れ磁束を一層低減し、更に効率良く給電することができる。又、電池セル１４の上にコア１６を配置するので、電池セル１４への磁束の影響を一層抑えることができる。
【００３７】
第一ユニット体は、電池セル１４と、電池セル１４の端子に接触する第一接点部材２０と、第一接点部材２０を第一コイル１９に電気的に接続する第二接点部材２１とを含み、ケース部材１３は、第一接点部材２０と、第二接点部材２１と、第一コイル１９とを表面に露出しないよう覆って形成されると、海上や海辺で使用するマリンユースの場合であっても、第一接点部材２０と第二接点部材２１を外部に露出させることなく、給電し得るので、第一接点部材２０と第二接点部材２１の腐食を防止することができる。又、電池パック１１は、ショートによる事故防ぐことができると共に、電池パック１１の収納ケースに水が浸入しても問題とならず、水中で電池パック１１を交換することができる。
【００３８】
ケース部材１３は、電池セル１４とプリント配線板（回路部）１５と第一コイル１９とを接続した状態にて、樹脂により、プリント配線板（回路部）１５を破壊しないよう低温低圧にて少なくとも電池セル１４とプリント配線板（回路部）１５と第一コイル１９の表面を被覆した後に凝固されて成型されると、ケース部材１３を容易に構成し、防水防塵性を好適に高めることができる。
【００３９】
図７〜図１１は本発明を実施する形態の第二例である。
【００４０】
ここでは、携帯電話機用のＡＣアダプタを例に第二例を説明する。
【００４１】
携帯電話機に接続するＡＣアダプタの第一ユニット体３４は、先端に凸部３５を形成した低温低圧成型樹脂等のケース部材３６と、ケース部材３６の内部で反凸部側に設置される回路部３７と、回路部３７に接続されてケース部材３６の反凸部側へ延在するケーブル３８と、ケーブル３８の先端に位置して携帯電話機に接続し得るコネクタ３９と、ケース部材３６の内部で反ケーブル側に配置されるフェライト等のコア４０とを備えている。
【００４２】
コア４０は、回路部側に位置する台座部４１と、台座部４１から突出してケース部材３６の凸部３５内に位置する軸部４２とから構成されており、軸部４２には、凸部３５に内包されるよう、軸部４２の延在方向を軸として巻線された第一コイル４３を配置している。
【００４３】
一方、電源に接続するＡＣアダプタの第二ユニット体４４は、筐体４５に、第一ユニット体３４の凸部３５が挿入される凹状の開口部４６を有すると共に、開口部４６の反対側には、コンセント等へ差し込む栓刃４７を備えている。
【００４４】
又、第二ユニット体４４の筐体４５は、開口部４６の周囲を囲むよう巻線された第二コイル４８と、第二コイル４８の外周及び開口部４６の奥面を囲むフェライト等のコア４９を内包しており、第二コイル４８は、配線（図示せず）を介して栓刃４７に接続されており、第二コイル４８が囲む筒状の周囲面は、絶縁材で形成されている。
【００４５】
ここで、第二ユニット体４４として、栓刃４７を一体に成形する例を図示しているが、第一ユニット体３４のように、第二コイル４８にケーブル（図示せず）を接続して、このケーブルを筐体４５から外部へ延長し、その先に栓刃４７を備えるように構成しても良い。又、筐体４５は、第一ユニット体３４と同様に低温低圧成型することが好ましい。この構成により、第二ユニット体４４をコンセントから第一ユニット体３４までの防水防塵性を有した延長コードとして使用することも可能となる。
【００４６】
次に、第一ユニット体３４と第二ユニット体４４との回路を示すと、図１０に示す如く、第一ユニット体３４の回路は、携帯電話機に接続し得る端子Ｔ３，Ｔ４と、第一コイル４３に接続されるコンデンサＣ３、整流部５０、ヒューズＦ１とを備えており、第二ユニット体４４の回路は、交流電源５１に接続し得る端子（栓刃）４７と、第二コイル４８に接続されるヒューズＦ２とを備えている。
【００４７】
又、第一ユニット体３４の回路は、図１１に示す如く、携帯電話機に接続し得る端子Ｔ５，Ｔ６と、第一コイル１９に接続されるコンデンサＣ４、ダイオードＤ４とを備えるものにしても良いし、第二ユニット体４４の回路は、交流電源５１に接続し得る端子（栓刃）４７と、第二コイル４８に接続させる発振回路５２、スイッチング回路５３、整流部５４、ヒューズＦ２とを備えものにしても良い。なお、スイッチング回路５３は、図１１に示す如く、ＮＰＮトランジスタＴｒ３、定電圧ダイオードＺＤ１、ＭＯＳトランジスタＴｒ４、抵抗Ｒ１〜Ｒ５、コンデンサＣ５を備えても良いが、特に限定されるものではない。
【００４８】
以下、本発明を実施する形態の第二例の作用を説明する。
【００４９】
携帯電話機にＡＣアダプタの第一ユニット体３４と第二ユニット体４４により充電する場合には、始めに第一ユニット体３４の凸部３５を、第二ユニット体４４の開口部４６に挿入して接続すると共に、第一ユニット体３４のコネクタ３９を携帯電話機に接続し、更に、第二ユニット体４４の栓刃４７をコンセント（交流電源）５１に接続する。
【００５０】
この時、第一ユニット体３４の第一コイル４３は、凸部３５の挿入方向を軸として巻線される配置になると共に、第二コイル４８の巻線の軸は、凸部３５が開口部４６に挿入された状態にて第一コイル４３の巻線の軸と同軸になり、第一ユニット体３４及び第二ユニット体４４の回路は、第一コイル４３及び第二コイル４８で電磁誘導を生じ、交流電源５１による携帯電話機の充電を行う。
【００５１】
ここで、回路により携帯電話機を充電する状態を説明すると、第二ユニット体４４の端子（栓刃）４７を交流電源５１に接続した場合には、第二コイル４８が発振することにより、第一コイル４３が励磁されて発振を開始し、直流電圧を整流部５０により整流して携帯電話機を充電する。又、第二ユニット体４４にスイッチング回路５３を備えた場合には、発振回路５２の発振によって第二コイル４８が発振することにより、第一コイル４３が励磁されて発振を開始し、直流電圧を携帯電話機に充電するようになっている。なお、スイッチング回路５３は、発振回路５２が発振することにより、ＮＰＮトランジスタＴｒ３が周期的にオン・オフになり、ＮＰＮトランジスタＴｒ３がオンになった際には、抵抗Ｒ４，Ｒ５によって分圧した電圧がＭＯＳトランジスタＴｒ４に入力され、ＭＯＳトランジスタＴｒ４の閾値により所定の電圧でオフの状態になるようになっている。
【００５２】
なお、第一ユニット体３４の成型としては低温低圧成型としたが、具体的には、ケーブル３８に接続された回路部３７と、コア４０と、第一コイル４３とを図７に示すように組み合わせた上で、これらをケース部材成形用の金型に収め、この状態にて樹脂を流し込み、ケーブル３８以外が外に露出しないよう成型する。樹脂は上記回路部３７のハンダやケーブル３８の被膜が溶け出すことのない低温にて溶融し、回路部３７を破壊しない程度の低圧にて金型に流し込まれる。樹脂の材質としは、具体的には、例えばポリアミド（成型温度２１０℃）やポリウレタン（成型温度１３０℃）のような材質であれば前述したように回路部３７を破壊する恐れなく成型しやすい。更に、硬化状態にて表面が若干の弾性を有する材質であることも好ましい。これにより、第二ユニット体４４に第一ユニット体３４を装着した際、開口部４６に凸部３５が単に挿入されるだけでなく、一定の摩擦力を有して係合することができ、装着状態を安定した状態に保つことができる。すなわち、第一コイル４３と第二コイル４８との間隔が一定に保たれることから電磁誘導が安定し、電力供給も安定することとなる。
【００５３】
このように、本発明を実施する形態の第二例によれば、第一コイル４３及び第二コイル４８の電磁誘導により、第二ユニット体４４から第一ユニット体３４へ給電を行うので、ＡＣアダプタにおいて外部に端子を露出させることなく、給電もしくは充電することができる。又、第一例と略同様な作用効果を得ることができる。
【００５４】
又、ＡＣアダプタを第一ユニット体３４と第二ユニット体４４に分けて構成し得るので、絶縁性を高めて安全性を向上させると共に、第一ユニット体３４のみを交換する構造にすることができる。更に、第一ユニット体３４のみの構成を変更可能にした場合には、設計時間の短縮化、設計変更の低コスト化、省資源化を図ることができると共に、電気用品安全法の申請を不要にすることができる。更に又、第二ユニット体４４にスイッチング回路５３を使用した場合には、回路を小型化することができる。
【００５５】
なお、本発明の給電システム及び電池パックは、本発明の要旨を逸脱しない範囲内において種々変更を加え得ることは勿論である。
【図面の簡単な説明】
【００５６】
【図１】本発明の第一例の給電システム及び電池パックにおける電池パック（第一ユニット体）の構成と、携帯電話機（第二ユニット体）の開口部の構成とを示す概略図である。
【図２】電池パック（第一ユニット体）と携帯電話機（第二ユニット体）を接続した状態を示す概略図である。
【図３】電池パック（第一ユニット体）の他の例を示す概略図である。
【図４】携帯電話機（第二ユニット体）を示す概略図である。
【図５】携帯電話機（第二ユニット体）の開口部を示す概略図である。
【図６】電池パック（第一ユニット体）の回路図と携帯電話機（第二ユニット体）の回路図を示す概略図である。
【図７】本発明の第二例の給電システムにおけるＡＣアダプタの第一ユニット体と第二ユニット体の構成を示す概略図である。
【図８】ＡＣアダプタの第一ユニット体と第二ユニット体の外観を示す概略図である。
【図９】ＡＣアダプタの第一ユニット体と第二ユニット体を接続した状態を示す概略図である。
【図１０】第一ユニット体の回路図と第二ユニット体の回路図の一例を示す概略図である。
【図１１】第一ユニット体の回路図と第二ユニット体の回路図の他の例を示す概略図である。
【図１２】電池パックの端子と携帯電話機の端子を示す概略図である。
【図１３】電池パックの端子と携帯電話機の端子を示す側面図である。
【符号の説明】
【００５７】
１１    電池パック（第一ユニット体）
１２    凸部
１３    ケース部材
１４    電池セル
１５    プリント配線基板（回路部）
１６    コア
１９    第一コイル
２０    第一接点部材
２１    第二接点部材
２２    携帯電話機（第二ユニット体）
２５    開口部
２７    第二コイル
２８    コア
３４    第一ユニット体
３５    凸部
３６    ケース部材
４０    コア
４３    第一コイル
４４    第二ユニット体
４６    開口部
４８    第二コイル
４９    コア
【図１】
2006280173.tif 000003
【図２】
2006280173.tif 000004
【図３】
2006280173.tif 000005
【図４】
2006280173.tif 000006
【図５】
2006280173.tif 000007
【図６】
2006280173.tif 000008
【図７】
2006280173.tif 000009
【図８】
2006280173.tif 000010
【図９】
2006280173.tif 000011
【図１０】
2006280173.tif 000012
【図１１】
2006280173.tif 000013
【図１２】
2006280173.tif 000014
【図１３】
2006280173.tif 000015